(57)【要約】      （修正有）【課題】高い効率で、クロック情報とともにデータを伝送し、ＥＭＩを低減することができ、スキューとジッターの問題を解決することができるデータ伝送方法及びデータ復元方法を提供する。【解決手段】伝送するデータをあらかじめ定められたビット数で区分し、複数の伝送準備パケットを形成する段階と、前記ビット数を有し、前記伝送準備パケットと異なる遷移誘導パケット（ｔｒａｎｓｉｔｉｏｎ  ｅｎｄｕｃｉｎｇ  ｐａｃｋｅｔ）を形成する段階と、前記遷移誘導パケットとそれぞれの前記伝送準備パケットで論理演算を行い、遷移を含むデータパケット（ｔｒａｎｓｉｔｉｏｎ  ｉｎｃｌｕｄｅｄ  ｔｒａｎｓｍｉｓｓｉｏｎ  ｐａｃｋｅｔｓ）を形成する段階と、前記遷移を含むデータパケット及び前記遷移誘導パケットを伝送する段階とを含む。【選択図】図１
2014072897.tif 000002
【特許請求の範囲】
【請求項１】
伝送するデータをあらかじめ定められたビット数（ｎ、ｎｕｍｂｅｒ  ｏｆ  ｂｉｔｓ）で区分し、複数の伝送準備パケットを形成する段階と、
前記ビット数を有し、前記伝送準備パケットと異なる遷移誘導パケット（ｔｒａｎｓｉｔｉｏｎ  ｅｎｄｕｃｉｎｇ  ｐａｃｋｅｔ）を形成する段階と、
前記遷移誘導パケットとそれぞれの前記伝送準備パケットで論理演算を行い、遷移を含むデータパケット（ｔｒａｎｓｉｔｉｏｎ  ｉｎｃｌｕｄｅｄ  ｔｒａｎｓｍｉｓｓｉｏｎ  ｐａｃｋｅｔｓ）を形成する段階と、
前記遷移を含むデータパケット及び前記遷移誘導パケットを伝送する段階と、を含むデータ伝送方法。
【請求項２】
前記伝送準備パケットを形成する段階は、前記伝送するデータのビット数が前記あらかじめ定められたビット数（ｎ）で割り切れない場合、ダミービットを挿入し、伝送準備パケットを形成して行う、請求項１に記載のデータ伝送方法。
【請求項３】
前記遷移誘導パケットを形成する段階は、
前記ビット数で形成することができるすべてのデータを有する予備パケットを設定する段階と、
前記予備パケットと前記伝送準備パケットを比較する段階と、
前記比較結果、前記伝送準備パケットと同一または相補的（ｃｏｍｐｌｅｍｅｎｔａｒｙ）な予備パケットを除去する段階と、
除去されずに残っている前記予備パケットのうちいずれか１つを前記遷移誘導パケットとして選択する段階と、を含む、請求項１に記載のデータ伝送方法。
【請求項４】
前記予備パケットと前記伝送準備パケットを比較する段階は、あらかじめ定められた個数の伝送準備パケットと前記予備パケットを比較して行う、請求項３に記載のデータ伝送方法。
【請求項５】
前記あらかじめ定められた個数の伝送準備パケットと前記予備パケットを比較する過程は、１以上２＾（ｎ−１）−１以下個数の伝送準備パケットと前記予備パケットを比較して行う、請求項４に記載のデータ伝送方法。
【請求項６】
前記遷移誘導パケットを形成する段階は、前記遷移誘導パケットのうちあらかじめ設定された隣接する２つのビットで遷移が起きるように行う、請求項１に記載のデータ伝送方法。
【請求項７】
前記隣接する２つのビットで遷移が起きるように遷移誘導パケットを形成する段階は、最上位ビットと隣接する１つのビットの間または最下位ビットと隣接する１つのビットのうちいずれか１つで遷移が起きるように行う、請求項６に記載のデータ伝送方法。
【請求項８】
前記予備パケットと前記伝送準備パケットを比較する段階は、互いに異なる伝送準備パケットと前記予備パケットを比較して行う、請求項３に記載のデータ伝送方法。
【請求項９】
前記遷移を含むデータパケットを形成する段階は、
前記遷移誘導パケットとそれぞれの前記伝送準備パケットで排他的論理和演算を行うことによって行われる、請求項１に記載のデータ伝送方法。
【請求項１０】
前記遷移を含むデータパケットを形成する段階は、
１以上２＾（ｎ−１）−１以下個数の伝送準備パケットと前記遷移誘導パケットを排他的論理和演算して行う、請求項１に記載のデータ伝送方法。
【請求項１１】
前記遷移を含むデータパケット及び前記遷移誘導パケットを伝送する段階は、ラインブランク区間（Ｌｉｎｅ  Ｂｌａｎｋ  Ｐｅｒｉｏｄ）に前記遷移誘導パケットを伝送して行う、請求項１に記載のデータ伝送方法。
【請求項１２】
前記遷移を含むデータパケット及び前記遷移誘導パケットを伝送する段階は、ピクセルデータ伝送区間（Ｐｉｘｅｌ  Ｄａｔａ  Ｔｒａｎｓｍｉｓｓｉｏｎ  Ｐｅｒｉｏｄ）に前記遷移を含むデータパケットと前記遷移誘導パケットを伝送する、請求項１に記載のデータ伝送方法。
【請求項１３】
前記遷移を含むデータパケット及び前記遷移誘導パケットを伝送する段階は、ピクセルデータ伝送区間（Ｐｉｘｅｌ  Ｄａｔａ  Ｔｒａｎｓｍｉｓｓｉｏｎ  Ｐｅｒｉｏｄ）の後に前記遷移誘導パケットを伝送する、請求項１に記載のデータ伝送方法。
【請求項１４】
前記遷移を含むデータパケット及び前記遷移誘導パケットを伝送する段階は、１つの前記遷移誘導パケットを伝送した後、前記データパケットを伝送する、請求項１に記載のデータ伝送方法。
【請求項１５】
遷移誘導パケットと遷移を含むデータパケット（ｔｒａｎｓｉｔｉｏｎ  ｉｎｃｌｕｄｅｄｄａｔａ  ｐａｃｋｅｔ）を受信する段階と、
受信された前記遷移を含むデータパケットと遷移誘導パケットを利用してクロックを復元する段階と、
前記復元されたクロックを利用して前記遷移誘導パケットと遷移を含むデータパケットをサンプリングする段階と、
前記サンプリングされた前記遷移誘導パケットと遷移を含むデータパケットで論理演算を行い、送信されたデータを復元する段階と、を含むデータ復元方法。
【請求項１６】
前記論理演算を行う段階は、
前記サンプリングされた遷移誘導パケットと遷移を含むデータパケットを逆直列化（ｄｅｓｅｒｉａｌｉｚｅ）する段階と、
前記逆直列化された遷移誘導パケットと遷移を含むデータパケットでビットワイズ（ｂｉｔｗｉｓｅ）論理演算を行う段階と、を含む、請求項１５に記載のデータ復元方法。
【請求項１７】
前記論理演算を行う段階は、受信された前記遷移を含むデータパケットと遷移誘導パケットで排他的論理和演算を行うことによって行われる、請求項１５に記載のデータ復元方法。
【請求項１８】
受信されたクロックを復元する段階は、位相固定ループ（Ｐｈａｓｅ  Ｌｏｃｋｅｄ  Ｌｏｏｐ、ＰＬＬ）を利用して行う、請求項１５に記載のデータ復元方法。
【請求項１９】
前記クロックを復元する段階の前に、クロックを追跡する段階をさらに含む、請求項１５に記載のデータ復元方法。
【請求項２０】
前記クロックを追跡する段階は、周波数追跡ループ（ｆｒｅｑｕｅｎｃｙ  ｔｒａｃｋｉｎｇ  ｌｏｏｐ）と位相追跡ループ（ｐｈａｓｅ  ｔｒａｃｋｉｎｇ  ｌｏｏｐ）とに分離した二重ループ構造の位相固定ループを利用して行う、請求項１９に記載のデータ復元方法。
【請求項２１】
前記クロックを追跡する段階は、位相固定ループ（Ｐｈａｓｅ  Ｌｏｃｋｅｄ  Ｌｏｏｐ、ＰＬＬ）を利用して行う、請求項１９に記載のデータ復元方法。
【発明の詳細な説明】
【技術分野】
【０００１】
データ伝送方法及びデータ復元方法に関する。
【背景技術】
【０００２】
従来のディスプレイのタイミング制御部とデータ駆動部との間のインターフェース技術としてナショナルセミコンダクター（Ｎａｔｉｏｎａｌ  Ｓｅｍｉｃｏｎｄｕｃｔｏｒ）で発表したＰＰＤＳ（Ｐｏｉｎｔ  ｔｏ  Ｐｏｉｎｔ  Ｄｉｆｆｅｒｅｎｔｉａｌ  Ｓｉｇｎａｌｌｉｎｇ）方式がある。ＰＰＤＳ方式は、タイミング制御部とデータ駆動部との間に独立的なデータ線路が形成される。このようなＰＰＤＳ方式は、従来のＲＳＤＳ（Ｒｅｄｕｃｅｄ  Ｓｗｉｎｇ  Ｄｉｆｆｅｒｅｎｔｉａｌ  Ｓｉｇｎａｌｌｉｎｇ）方式及びｍｉｎｉ−ＬＶＤＳ（Ｌｏｗ  Ｖｏｌｔａｇｅ  Ｄｉｆｆｅｒｅｎｔｉａｌ  Ｓｉｇｎａｌｌｉｎｇ）方式に比べてＥＭＩが減少し、全体信号線の個数が減少するという長所を有する。タイミング制御部と複数のデータ駆動部との間には、クロック線とロード線が連結される。
【発明の概要】
【発明が解決しようとする課題】
【０００３】
従来の技術は、クロック信号を伝送するために別途の伝送線路が必要である。すなわち、クロック信号は、データ信号と別個の線路を通じてタイミング制御部からそれぞれのデータ駆動部に伝達されるので、クロック信号伝送のための別途の線路が必要であり、これは、配線の複雑度を増加させ、製造工程を複雑にし、製造コストを上昇させる。また、高い周波数を有するクロック信号は、ＥＭＩ（Ｅｌｅｃｔｒｏ  Ｍａｇｎｅｔｉｃ  Ｉｎｔｅｒｆｅｒｅｎｃｅ）を増加させ、データ信号と別途の線路で伝送されるクロック信号との間にスキュー（ｓｋｅｗ）が発生すれば、データサンプリング時にエラーが発生することができる。
【０００４】
本発明が解決しようとする技術的課題のうち１つは、高い効率でデータを伝送する方法及び伝送されたデータを復元する方法を提供することである。また、本発明が解決しようとする技術的課題のうち１つは、クロック情報とともにデータを伝送し、ＥＭＩを低減することができるデータ伝送方法を提供することである。本発明が解決しようとする技術的課題のうち１つは、クロック情報とデータを伝送し、スキューとジッターの問題を解決することができるデータ伝送方法及びデータ復元方法を提供することである。
【課題を解決するための手段】
【０００５】
本発明によるデータ伝送方法は、伝送するデータをあらかじめ定められたビット数（ｎ、ｎｕｍｂｅｒ  ｏｆ  ｂｉｔｓ）で区分して複数の伝送準備パケットを形成する段階と、前記ビット数を有し、前記伝送準備パケットと異なる遷移誘導パケット（ｔｒａｎｓｉｔｉｏｎｅｎｄｕｃｉｎｇｐａｃｋｅｔ）を形成する段階と、前記遷移誘導パケットとそれぞれの前記伝送準備パケットで論理演算を行い、遷移を含むデータパケット（ｔｒａｎｓｉｔｉｏｎ  ｉｎｃｌｕｄｅｄ  ｔｒａｎｓｍｉｓｓｉｏｎ  ｐａｃｋｅｔｓ）を形成する段階と、前記遷移を含むデータパケット及び前記遷移誘導パケットを伝送する段階とを含む。
【０００６】
一実施例において、前記伝送準備パケットを形成する段階は、前記伝送するデータのビット数が前記あらかじめ定められたビット数（ｎ）で割り切れない場合、ダミービットを挿入し、伝送準備パケットを形成して行う。
【０００７】
一実施例において、前記遷移誘導パケットを形成する段階は、前記ビット数で形成することができるすべてのデータを有する予備パケットを設定する段階と、前記予備パケットと前記伝送準備パケットを比較する段階と、前記比較結果、前記伝送準備パケットと同一または相補的（ｃｏｍｐｌｅｍｅｎｔａｒｙ）な予備パケットを除去する段階と、除去されずに残っている前記予備パケットのうちいずれか１つを前記遷移誘導パケットとして選択する段階とを含む。
【０００８】
一実施例において、前記予備パケットと前記伝送準備パケットを比較する段階は、あらかじめ定められた個数の伝送準備パケットと前記予備パケットを比較して行う。
【０００９】
一実施例において、前記あらかじめ定められた個数の伝送準備パケットと前記予備パケットを比較する過程は、１以上２＾（ｎ−１）−１以下個数の伝送準備パケットと前記予備パケットを比較して行う。
【００１０】
一実施例において、前記遷移誘導パケットを形成する段階は、前記遷移誘導パケットのうちあらかじめ設定された隣接する２つのビットで遷移が起きるように行う。
【００１１】
一実施例において、前記隣接する２つのビットで遷移が起きるように遷移誘導パケットを形成する段階は、最上位ビットと隣接する１つのビットの間または最下位ビットと隣接する１つのビットのうちいずれか１つで遷移が起きるように行う。
【００１２】
一実施例において、前記予備パケットと前記伝送準備パケットを比較する段階は、互いに異なる伝送準備パケットと前記予備パケットを比較して行う。
【００１３】
一実施例において、前記遷移を含むデータパケットを形成する段階は、前記遷移誘導パケットとそれぞれの前記伝送準備パケットで排他的論理和の演算を行うことによって行われる。
【００１４】
一実施例において、前記遷移を含むデータパケットを形成する段階は、１以上２＾（ｎ−１）−１以下個数の伝送準備パケットと前記遷移誘導パケットを排他的論理和演算して行う。
【００１５】
一実施例において、前記遷移を含むデータパケット及び前記遷移誘導パケットを伝送する段階は、ラインブランク区間（Ｌｉｎｅ  Ｂｌａｎｋ  Ｐｅｒｉｏｄ）に前記遷移誘導パケットを伝送して行う。
【００１６】
一実施例において、前記遷移を含むデータパケット及び前記遷移誘導パケットを伝送する段階は、ピクセルデータ伝送区間（Ｐｉｘｅｌ  Ｄａｔａ  Ｔｒａｎｓｍｉｓｓｉｏｎ  Ｐｅｒｉｏｄ）に前記遷移を含むデータパケットと前記遷移誘導パケットを伝送する。
【００１７】
一実施例において、前記遷移を含むデータパケット及び前記遷移誘導パケットを伝送する段階は、ピクセルデータ伝送区間（Ｐｉｘｅｌ  Ｄａｔａ  Ｔｒａｎｓｍｉｓｓｉｏｎ  Ｐｅｒｉｏｄ）以後に前記遷移誘導パケットを伝送する。
【００１８】
一実施例において、前記遷移を含むデータパケット及び前記遷移誘導パケットを伝送する段階は、１つの前記遷移誘導パケットを伝送した後、前記データパケットを伝送する。
【００１９】
本発明によるデータ復元方法は、遷移誘導パケットと遷移を含むデータパケット（ｔｒａｎｓｉｔｉｏｎ  ｉｎｃｌｕｄｅｄ  ｄａｔａ  ｐａｃｋｅｔ）を受信する段階と、受信された前記遷移を含むデータパケットと遷移誘導パケットを利用してクロックを復元する段階と、前記復元されたクロックを利用して前記遷移誘導パケットと遷移を含むデータパケットをサンプリングする段階と、前記サンプリングされた前記遷移誘導パケットと遷移を含むデータパケットで論理演算を行い、送信されたデータを復元する段階とを含む。
【００２０】
一実施例において、前記論理演算を行う段階は、前記サンプリングされた遷移誘導パケットと遷移を含むデータパケットを逆直列化（ｄｅｓｅｒｉａｌｉｚｅ）する段階と；前記逆直列化された遷移誘導パケットと遷移を含むデータパケットでビットワイズ論理演算を行う段階と；を含む。
【００２１】
一実施例において、前記論理演算を行う段階は、受信された前記遷移を含むデータパケットと遷移誘導パケットで排他的論理和演算を行うことによって行われる。
【００２２】
一実施例において、受信されたクロックを復元する段階は、位相固定ループ（Ｐｈａｓｅ  Ｌｏｃｋｅｄ  Ｌｏｏｐ、ＰＬＬ）を利用して行う。
【００２３】
一実施例において、前記クロックを復元する段階の前に、クロックを追跡する段階をさらに含む。
【００２４】
一実施例において、前記クロックを追跡する段階は、周波数追跡ループ（ｆｒｅｑｕｅｎｃｙ  ｔｒａｃｋｉｎｇ  ｌｏｏｐ）と位相追跡ループ（ｐｈａｓｅ  ｔｒａｃｋｉｎｇ  ｌｏｏｐ）とに分離した二重ループ構造の位相固定ループを利用して行う。
【００２５】
一実施例において、前記クロックを追跡する段階は、位相固定ループ（Ｐｈａｓｅ  Ｌｏｃｋｅｄ  Ｌｏｏｐ、ＰＬＬ）を利用して行う。
【発明の効果】
【００２６】
本発明の実施例によれば、高い効率でデータを伝送することが可能であり、このように伝送されたデータを復元することができるという長所が提供される。本発明の実施例によれば、伝送される遷移を含むデータパケットで遷移が発生する位置が固定されず、均一に分散されるので、ＥＭＩによる影響を低減することができるという長所が提供される。本発明の実施例によれば、受信端で復元したクロックを利用してデータを復元するので、クロックスキューとジッターの問題を解決することができるという長所が提供される。
【図面の簡単な説明】
【００２７】
【図１】図１は、本発明の実施例によるデータ伝送方法の概要を示す流れ図である。
【図２】図２は、伝送するピクセルデータＰＤ及び伝送準備パケットの構造Ｔを概略的に示す図である。
【図３】図３は、遷移誘導パケットを形成する方法を説明するための図である。
【図４】図４は、本発明の実施例による遷移誘導パケットを形成する方法の概要を示す流れ図である。
【図５】図５は、遷移を含むデータパケットを形成する方法の概要を示す図である。
【図６】図６は、遷移誘導パケットと遷移を含むデータパケットを伝送する方法の概要を示す図である。
【図７】図７は、本発明の実施例によるデータ復元方法の概要を示す流れ図である。
【図８】図８は、本発明の実施例によるデータを復元する方法の概要を示す図である。
【図９】図９は、本発明の実施例によるクロックを追跡する方法の概要を示す図である。
【図１０】図１０は、本発明の実施例によるクロックを追跡する方法の概要を示す図である。
【図１１】図１１は、遷移を含むデータパケットからピクセルデータをサンプリングする構成の概要を示す図である。
【発明を実施するための形態】
【００２８】
本発明に関する説明は、構造的ないし機能的説明のための実施例に過ぎないので、本発明の権利範囲は、本文に説明された実施例によって制限されるものと解釈されてはならない。すなわち、実施例は、多様な変更が可能であり、さまざまな形態を有することができるので、本発明の権利範囲は、技術的思想を実現することができる均等物を含むものと理解されなければならない。
【００２９】
一方、本出願で記述される用語の意味は、次のように理解されなければならない。
単数の表現は、文脈上、明白に異なって意味しない限り、複数の表現を含むものと理解されなければならないし、「含む」または「有する」などの用語は、記述された特徴、数字、段階、動作、構成要素、部分品またはこれらを組み合わせたものが存在することを指定しようとするものであって、１つまたはそれ以上の他の特徴や数字、段階、動作、構成要素、部分品またはこれらを組み合わせたものの存在または付加可能性をあらかじめ排除しないものと理解されなければならない。
【００３０】
各段階は、文脈上明白に特定手順を記載しない以上、明記された手順と異なって起きることができる。すなわち、各段階は、明記された手順と同一に起きることもでき、実質的に同時に行われることもでき、反対の順に行われることもできる。
【００３１】
ここで使用されるすべての用語は、異なって定義されない限り、本発明の属する分野における通常の知識を有する者によって一般的に理解されるものと同一の意味を有する。一般的に使用される辞書に定義されているもののような用語は、関連技術の文脈上有する意味と一致するものと解釈されなければならないし、本出願において明白に定義しない限り、理想的や過度に形式的な意味を有するものと解釈されることができない。
【００３２】
以下では、添付の図面を参照して本発明の実施例によるデータ通信方法を説明する。図１は、本発明の実施例によるデータ通信方法を簡略に示す流れ図（ｆｌｏｗ  ｃｈａｒｔ）である。図２は、伝送するピクセルデータＰＤ及び伝送準備パケットの構造Ｔを概略的に示す図である。図１及び図２を参照すれば、本発明によるデータ伝送方法は、伝送するデータをあらかじめ定められたビット数（ｎｕｍｂｅｒｏｆｂｉｔｓ）で区分し、複数の伝送準備パケットを形成する段階（Ｓ１００）と、伝送準備パケットと同一のビット数を有し、前記伝送準備パケットと異なる遷移誘導パケット（ｔｒａｎｓｉｔｉｏｎ  ｅｎｄｕｃｉｎｇ  ｐａｃｋｅｔ）を形成する段階（Ｓ２００）と、遷移誘導パケットとそれぞれの前記伝送準備パケットで論理演算を行い、遷移を含むデータパケット（ｔｒａｎｓｉｔｉｏｎ  ｉｎｃｌｕｄｅｄ  ｔｒａｎｓｍｉｓｓｉｏｎ  ｐａｃｋｅｔｓ）を形成する段階（Ｓ３００）と、遷移を含むデータパケット及び遷移誘導パケットを伝送する段階（Ｓ４００）とを含む。
【００３３】
一実施例において、タイミングコントローラ（図示せず）が各チャネル当たりｊビットでｋ個のチャネルにデータを伝送する場合、ラインブランク（Ｌｉｎｅ  Ｂｌａｎｋ、ＬＢ）領域と制御信号ＣＳを除いてｊ×ｋ個ビットのピクセルデータＰＤがディスプレイドライバーに伝送されなければならない。このようなｊ×ｋ個ビットのピクセルデータＰＤをあらかじめ定められたビット数で区分し、伝送準備パケットＴを形成する。一例として、図２ａに示されたように、総７２００ビットのピクセルデータをディスプレイドライバーに伝送すれば、総７２００ビットのピクセルデータＰＤを最上位ビット（ＭＳＢ、Ｍｏｓｔ  Ｓｉｇｎｉｆｉｃａｎｔ  Ｂｉｔ）から最下位ビット（ＬＳＢ、Ｌｅａｓｔ  Ｓｉｇｎｉｆｉｃａｎｔ  Ｂｉｔ）まで５ビットを有する１４４０個の伝送準備パケットＴ１、Ｔ２、…、Ｔ１４４０で形成することができる。他の例として、図２ｂに示されたように、総７２００ビットのピクセルデータをディスプレイドライバーに伝送すれば、６ｂｉｔを有する１２００個の伝送準備パケットＴ１、Ｔ２、…、Ｔ１２００で形成することができる。他の例として、伝送準備パケットのビット数でピクセルデータの総ビット数が割り切れないこともある。このような場合には、図２ｃに示されたように、必要な分だけのダミービット（ｄｕｍｍｙ  ｂｉｔ）を挿入し、伝送準備パケットを形成する。例えば、前述したように、ピクセルデータＰＤが総７２００ビットであり、伝送準備パケットのビット数が７ビットなら、１０２８個の伝送準備パケットを形成することができ、伝送準備パケットを形成せず、４ビットが残る。このような場合、３ビットのダミービットを追加し、１０２９番目の伝送準備パケットＴ１０２９を形成することができる。追加されたダミービットの内容は、どんな内容でも無関係であり、１０１、１１０などのようにどんな形態でもよい。
【００３４】
但し、これは、ただ本発明の実施例を説明するためのものであって、本発明を限定するためのものではない。したがって、伝送準備パケットのビット数は、他の値として定められることができる。さらに他の例として、図示してはいないが、最下位ビットから最上位ビットまで整列し、伝送準備パケットを形成することができる。
【００３５】
一般的に、パケット（ｐａｃｋｅｔ）は、ヘッダー（ｈｅａｄｅｒ）とペイロード（ｐａｙｌｏａｄ）を有し、ネットワークを通じて伝送されるデータビットのバンドル（ｂｕｎｄｌｅ）を意味するものと使用されたが、本明細書では、伝送しようとするデータをあらかじめ定められたビット数を有するように分けたビットバンドル（ｂｉｔ  ｂｕｎｄｌｅ）を意味するものと使用する。
【００３６】
図１及び図３を参照すれば、遷移誘導パケット（ｔｒａｎｓｉｔｉｏｎ  ｅｎｄｕｃｉｎｇｐａｃｋｅｔ、Ｅ）を形成する（２００）。一実施例において、遷移誘導パケットＥは、所定の個数の伝送準備パケットＴと論理演算され、前記所定個数分だけのディスプレイドライバーに伝送されるデータパケットＤＰを形成（図５参照）し、遷移誘導パケットＥとの論理演算によって各データパケットＤＰには、隣接するビットの間に０から１または１から０への遷移（ｔｒａｎｓｉｔｉｏｎ）が少なくとも１つ形成される。遷移誘導パケットＥは、前述したように、伝送過程でデータドライバーに伝送されるデータパケットに遷移を形成する役目を行う。また、データを復旧する過程では、後述するように、遷移誘導パケットを形成するのに使用される伝送準備パケットとの論理演算を用いたデータ復旧過程でデータ復旧のシード（ｓｅｅｄ）として機能する。したがって、遷移誘導パケットＥは、遷移を含むデータパケットＤＰとともに伝送される。
【００３７】
一実施例において、後述する論理演算の一例として排他的論理和（Ｅｘｃｌｕｓｉｖｅ  ＯＲ、ＸＯＲ）演算を行う場合、演算結果である伝送パケットに少なくとも１つの遷移を形成するために、遷移誘導パケットＥは、伝送準備パケットと同一または相補的（ｃｏｍｐｌｅｍｅｎｔａｒｙ）関係になってはならない。一例として、伝送準備パケットと遷移誘導パケットがいずれも３ビットであると仮定する。伝送準備パケットＴが１０１なら、遷移誘導パケットＥは、伝送準備パケットと同一の１０１またはそれと相補的な０１０になれない。このような場合、伝送準備パケットと遷移誘導パケットで排他的論理和演算を行う場合、０００または１１１の結果が得られ、演算結果には遷移が含まれないからである。
【００３８】
遷移誘導パケットＥと伝送準備パケットＰがいずれもｎビットを有する場合、最大２＾（ｎ−１）−１個の互いに異なる伝送準備パケットを利用して１つの遷移誘導パケットＥを形成することができる。図３を参照すれば、左側の列は、３ビットで可能な伝送準備パケットＴのすべての場合を示すものであり、右側の列は、同様に３ビットで可能な遷移誘導パケットを示すものである。最初に伝送しようとする伝送準備パケットが０００（１）なら、伝送パケットに遷移を形成するためには、これと同一または相補的な０００及び１１１は、遷移誘導パケットとして使用することができない。二番目の伝送準備パケットが０１０（２）なら、同様に、０１０及び１０１は、遷移誘導パケットとして使用することができない。三番目の伝送準備パケットが１１０（３）なら、１１０及び００１は、遷移誘導パケットとして使用することができない。次に、０１１が次の伝送準備パケット（４）なら、これと同一または相補的な０１１及び１００を遷移誘導パケットとして使用することができないので、図示のように、３ビットのすべての遷移誘導パケットを使用することができない。したがって、互いに異なる３個の伝送準備パケットから少なくとも１つの３ビット遷移誘導パケットを得ることができ、反対に、１個の３ビット遷移誘導パケットで、最大３個の遷移を含むデータパケットを形成することができる。
【００３９】
したがって、次のような結論に到逹する。１個のｎビット遷移誘導パケットを形成するためには、ｎビットの最大２＾（ｎ−１）−１個の互いに異なる伝送準備パケットが必要である。これは、次のような理由による。ｎビットで可能なすべての遷移誘導パケットの場合の数は２＾（ｎ）個であり、１個のｎビット伝送準備パケットが定められれば、２個の遷移誘導パケットを使用することができないようにする。したがって、２＾（ｎ）個の遷移誘導パケットＥをすべて使用することができないようにする  互いに異なる伝送準備パケットの個数は２＾（ｎ）／２個であるので、最大２＾（ｎ−１）−１個の互いに異なる伝送準備パケットＴで少なくとも１つのｎビット遷移誘導パケットを形成することができる。
【００４０】
前述した１つの遷移誘導パケットを形成するための互いに異なる伝送準備パケットの個数は、最大値であり、それより少ない個数の伝送準備パケットで遷移誘導パケットを形成することができる。一実施例において、前述したように、１個の３ビット遷移誘導パケットは、最大２＾（３−１）−１＝３個の伝送準備パケットで形成することができるが、それより少ない２個または１個の伝送準備パケットで遷移誘導パケットを形成することも可能である。例えば０１０の伝送準備パケットでこれと同一または相補的ではない１００及び０１１のうちいずれか１つのような伝送準備パケットを形成することができる。他の実施例において、１個の６ビット遷移誘導パケットは、最大２＾（６−１）−１＝３１個の伝送準備パケット（６ビット）で形成することができるが、それより少ない３０個または２９個の伝送準備パケットで形成することもやはり可能である。
【００４１】
一実施例において、遷移誘導パケットＥも、前述したように、遷移を含むデータパケットとともに伝送され、データを復旧するのに使用されるので、遷移誘導パケットも、遷移を含まなければならない。したがって、遷移誘導パケットＥの少なくとも隣接する２つのビットでは、必ず遷移が発生しなければならない。したがって、伝送される遷移誘導パケットＥ１、Ｅ２、…の所定の隣接するビットの間では、必ず遷移が発生するように遷移誘導パケットを形成する。一例において、最上位ビットＭＳＢと隣接するビットで遷移が起きるように遷移誘導パケットを形成する。他の例において、最下位ビットＬＳＢと隣接するビットで遷移が起きるように遷移誘導パケットを形成する。
【００４２】
図４を参照して本発明の実施例による遷移誘導パケットを形成する方法を説明する。ｎビットで可能なすべてのデータを有する予備パケットを準備する（Ｓ２１０）。一例として、前述したように、３ビットで可能な予備パケットは、０００、００１、０１０、０１１、…、１１１の８個である。他の例において、遷移誘導パケットと伝送準備パケットが６ビットなら予備パケットは００００００、０００００１、００００１０、…、１１１１１１の６４個である。
【００４３】
伝送準備パケットを準備する（Ｓ２２０）。一実施例において、前述したように伝送しようとするピクセルデータＰＤをあらかじめ定められたビット数で区分して伝送準備パケットを準備することができ、当該伝送準備パケットは、レジスタに格納されることができる。準備した伝送準備パケットと予備パケットが同一または相補的であるかを判断し（Ｓ２３０）、同一または相補的な予備パケットを除去する（Ｓ２４０）。伝送準備パケットと同一または相補的な予備パケットは、当該伝送準備パケットと論理演算を行っても、演算結果に遷移を形成することができないからである。
【００４４】
次に、あらかじめ定められた個数番目の伝送準備パケットであるかを判断する（Ｓ２５０）。一例において、前述したように、６ビットの伝送準備パケットであるとしても、３０個の伝送準備パケットで１つの遷移誘導パケットを形成することができるので、あらかじめ定められた個数番目の伝送準備パケットであるかを判断する。但し、前記あらかじめ定められた個数は、２＾（ｎ−１）−１を超過してはならないことは自明である。一実施例において、伝送準備パケットの個数を計数し、次の段階に進行する。本実施例によれば、遷移誘導パケットを形成するために準備した互いに異なる伝送準備パケットの個数を計数する必要がなく、これを具現する装置の構成を簡単にすることができる。他の実施例において、互いに異なる伝送準備パケットの個数を計数し、次の段階に進行する。本実施例によれば、互いに異なる伝送準備パケットの個数を計数し、遷移誘導パケットを形成するので、以後の伝送過程で１つの遷移誘導パケットとともに伝送することができる遷移を含むデータパケットの個数が増加することができるので、データ伝送効率が向上する。
【００４５】
残っている予備パケットのうち１つを遷移誘導パケットとして選択（Ｓ２６０）し、遷移誘導パケットを形成する。結果的に形成された遷移誘導パケットは、所定個数の伝送準備パケットと同一または相補的ではない。一実施例において、遷移誘導パケットの最上位ビットと隣接するビットで遷移が起きるようにする場合なら、これに該当するように遷移誘導パケットを選択する。他の実施例において、最下位ビットと隣接するビットで遷移が起きるようにする場合なら、これに該当するように遷移誘導パケットを選択する。他の実施例において、いずれか隣接する２つのビット間で遷移が起きるようにする場合なら、これに該当するように遷移誘導パケットを選択する。
【００４６】
図１及び図５を参照すれば、伝送準備パケットＴと遷移誘導パケットＥで論理演算を行い、遷移を含むデータパケット（ｔｒａｎｓｉｔｉｏｎ  ｉｎｃｌｕｄｅｄ  ｄａｔａ  ｐａｃｋｅｔｓ）を形成する（Ｓ３００）。一実施例において、伝送準備パケットＴと遷移誘導パケットＥのそれぞれ対応するビットで排他的論理和ＸＯＲ演算を行う。前述したように、伝送準備パケットＴと遷移誘導パケットＥは、互いに同一のビット数を有する。一例において、伝送されるべきピクセルデータＰＤが７２００ビットであり、伝送準備パケットＴと遷移誘導パケットＥが６ビットなら、図５に示されたように、１つの遷移誘導パケットと当該遷移誘導パケットを形成するのに使用された伝送準備パケットとの論理演算を行う。一例において、１つの６ビット遷移誘導パケットを形成するのに使用された伝送準備パケットの個数が３１個なら、１つの遷移誘導パケットと前記３１個の伝送準備パケットと論理演算を行い、３１個のデータパケットを形成する。したがって、遷移誘導パケットＥ１と伝送準備パケットＴ１〜Ｔ３１を利用したそれぞれの論理演算を行い、ＤＰ１、ＤＰ２、…、ＤＰ３１を形成し、遷移誘導パケットＥ２と伝送準備パケットＴ３２〜Ｔ６２を利用した論理演算を行い、ＤＰ３２〜ＤＰ６２を形成する。このような方法で遷移誘導パケット３９と伝送準備パケットＴ１１７０〜Ｔ１２００を論理演算し、ＤＰ１１７０〜ＤＰ１２００まで形成する。
【００４７】
他の例において、図示してはいないが、１つの６ビット遷移誘導パケットを形成するのに使用された伝送準備パケットが３０個なら、１つの遷移誘導パケットと前記３０個の伝送準備パケットとの論理演算を行い、３０個のデータパケットを形成する。
【００４８】
【表１】
2014072897.tif 000003
【００４９】
一例において、表１に示されたように一番目の伝送準備パケットＴと遷移誘導パケットＥがいずれも６ビットなら、一番目の伝送準備パケットと遷移誘導パケットは、同一または互いに相補的な関係にあるものではない。また、その論理演算を行った結果である遷移を含むデータパケットＤＰを見れば、０から１へ、１から０への遷移が存在することが分かる。同様に、二番目の伝送準備パケットと遷移誘導パケットとの論理演算を行った結果であるデータパケットＤＰを見れば、１から０への遷移が存在することが分かる。
【００５０】
排他的論理和演算を行った結果であるデータパケットＤＰには、必ず少なくとも１つの遷移が含まれるので、遷移を含むデータパケットを受信した受信部では、後述するように、遷移を利用してクロックを復元する。したがって、従来技術のように、別途のクロック信号線路を形成する理由がないため、ディスプレイの製造費用が減少する。また、遷移が発生する位置がデータパケット内で固定されていないので、様々なデータパケットを送信する場合、遷移がパケット別に均一に分散して位置する。したがって、ＥＭＩが減少するという長所が提供される。さらに、クロック信号を受信端で復元して使用するので、クロック信号線路にデータとクロック信号を別に送信する場合に発生するクロックスキュー（Ｃｌｏｃｋ  Ｓｋｅｗ）問題が発生しないことが分かる。
【００５１】
一実施例において、伝送準備パケットと遷移誘導パケットとの論理演算は直列的に行う。直列的に行われた論理演算の結果を最上位ビットＭＳＢから最下位ビットＬＳＢに整列し、遷移を含むデータパケットＤＰを形成する。他の実施例において、伝送準備パケットＴと遷移誘導パケットとの論理演算は、並列的に行う。並列的に行われた論理演算の結果を直列化（ｓｅｒｉａｌｉｚｅ）した後、当該ビットに合わせて整列し、データパケットＤＰを形成する。
【００５２】
図６は、遷移を含むデータパケットと遷移誘導パケットを伝送する方法を概要的に説明する図である。図１と図６を参照すれば、遷移を含むデータパケットと前記遷移誘導パケットを伝送する（Ｓ４００）。一実施例において、１つの６ビット遷移誘導パケットＥを形成するために、３１個の伝送準備パケットを利用すれば、７２００ビットのデータを伝送するために１２００個の遷移を含むデータパケットと３９個の遷移誘導パケットを伝送しなければならない。他の実施例において、１つの６ビット遷移誘導パケットＥを形成するために３０個の伝送準備パケットを利用すれば、７２００ビットのデータを伝送するために、１２００個の遷移を含むデータパケットと４０個の遷移誘導パケットを伝送しなければならない。
【００５３】
遷移誘導パケットと遷移を含むデータパケットを伝送する一実施例において、遷移を含むデータパケットと遷移誘導パケットは、ピクセルデータＰＤ伝送領域で伝送される。図６ａに示されたように、遷移を含むデータパケットを伝送するのに先立って、遷移誘導パケットを伝送する。本実施例のように構成すれば、データ伝送区間内に遷移誘導パケットを一緒に伝送するようになるので、伝送効率が少し減少することができるが、データパケットからデータを復元する回路の構成を簡略化させることができる。他の実施例において、１つのチャネルに伝送される遷移誘導パケットをすべて取り集めて伝送し、遷移を含むデータパケットをピクセルデータＰＤ伝送領域に伝送する構成も可能である。一例において、図６ｂに示されたラインブランク区間ＬＢ内に遷移誘導パケットをすべて取り集めて伝送する構成も可能である。但し、図６ｂに示された例は、１つの遷移誘導パケットＥと３１個の遷移を含むデータパケットＤＰを伝送することを例示したもので、１つの遷移誘導パケットＥ当たり３１個を超えない個数（例えば３０個）のデータパケットとともに伝送することができることは、前述した通りである。本実施例のように構成すれば、ピクセルデータ伝送領域に単にピクセルデータだけが伝送されるので、伝送効率は１００％に近接する。他の実施例において、図示してはいないが、いずれか１つのチャネルのピクセルデータＰＤの伝送後、次のチャネルのピクセルデータＰＤ伝送区間の前に当該チャネルの遷移誘導パケットまたは次のチャネルの遷移誘導パケットをすべて取り集めて伝送する構成も、また可能である。
【００５４】
遷移誘導パケットＥ及び伝送準備パケットのビット数が増加すれば、データドライバーに伝送されたデータパケットに含まれた遷移を利用してクロックを復元する過程でクロック復元時にエラーが発生する確率が増加するので、クロック復元回路の複雑性及び精密度が増加しなければならないが、データドライバーに伝送される遷移誘導パケットの数が減少し、伝送効率が向上する。
【００５５】
以下では、本発明の一実施例によるデータ復元方法を添付の図面を参照して説明する。図７は、本発明の一実施例によるデータ復元方法の概要を示す流れ図である。図７を参照すれば、遷移誘導パケットＥと遷移を含むデータパケットを受信する（Ｓ５００）。データパケットの隣接するビットの間には、前述したように、少なくとも１回０から１へまたは１から０への遷移が存在する。
【００５６】
図８は、受信された遷移誘導パケットＥと遷移を含むデータパケットＤＰを利用してクロック信号を復元することができる構成の一例を示す図である。図７及び図８を参照する。受信された遷移誘導パケットと遷移を含むデータパケットを利用してクロックを復元する（Ｓ６００）。一実施例において、図８に示されたように、位相固定ループ（ＰＬＬ、Ｐｈａｓｅ  Ｌｏｃｋｅｄ  Ｌｏｏｐ）構造を利用してクロックを復元することができる。受信された遷移を含むデータパケットＤＰまたは遷移誘導パケットＥと電圧制御発振器（ＶＣＯ、Ｖｏｌｔａｇｅ  Ｃｏｎｔｒｏｌｌｅｄ  Ｏｓｃｉｌｌａｔｏｒ）の出力信号を位相検出器（Ｐｈａｓｅ  ｄｅｔｅｃｔｏｒ）に入力すれば、位相検出器は、電圧制御発振器ＶＣＯで出力された信号とデータパケットの遷移または局部発振器で出力された信号ＸＯと遷移誘導パケットの遷移と位相差を検出する。位相検出器ＰＤは、高い帯域の信号と位相差信号を同時に出力するので、低域通過フィルタ（Ｌｏｗ  Ｐａｓｓ  Ｆｉｌｔｅｒ、ＬＰＦ）を利用して位相差信号のみを得て、これを電圧制御発振器ＶＣＯに入力し、発信周波数を制御し、復旧されたクロック信号ＲＣＬＫを得ることができる。
【００５７】
図示の構成は、ＰＬＬを利用した構成であるが、電圧制御遅延ライン（ＶＣＤＬ、Ｖｏｌｔａｇｅ  Ｃｏｎｔｒｏｌｌｅｄ  Ｄｅｌａｙ  Ｌｉｎｅ）を利用した遅延固定ループ（ＤＬＬ、Ｄｅｌａｙ  Ｌｏｃｋｅｄ  Ｌｏｏｐ）を利用することができることは自明である。ＤＬＬを使用する場合、局部発振器を使用するＰＬＬの出力周波数は、構造上、遷移を含むデータパケットの送信周波数と正確に一致することができず、微細なエラー（ｅｒｒｏｒ）が発生する。このような小さいエラーが累積すれば、結果的に、電圧制御遅延ラインの制御範囲を脱して、エラーを発生させる。したがって、これを補完するために、ＰＬＬで生成されたマルチフェーズクロックをＶＣＤＬに入力として使用するか、あるいは位相補間器（ｐｈａｓｅ  ｉｎｔｅｒｐｏｌａｔｅｒ）を使用してエラーを防止することができる。
【００５８】
一実施例において、クロックを復元する段階の前にクロックを追跡（ｔｒａｃｋｉｎｇ）する段階をさらに含むことができる。図９は、クロックを追跡して復元する構成の一例を示す図である。図９を参照すれば、クロックを追跡する構成は、一定の周波数の信号を出力する局部発振器の出力信号ＸＯを入力される第２位相固定ループＰＬＬ２を含む。第２位相固定ループＰＬＬ２は、位相周波数検出器ＰＦＤと、低域通過フィルタＬＰＦ２、電圧制御発振器ＶＣＯ２を含み、Ｎ分周器Ｄｉｖ−Ｎをさらに含むことができる。位相周波数検出器ＰＦＤは、局部発振器が出力する局部発振器の出力信号ＸＯと電圧制御発振器ＶＣＯ２が出力した信号の周波数差及び位相差を検出する。位相検出器ＰＤが出力する信号は、位相差信号とともに、回路の動作と無関係な高域の信号を含んでいるので、低域通過フィルタＬＰＦ２を利用して周波数差及び位相差信号のみを得る。上記のように、低域通過フィルタＬＰＦ２が出力した位相差信号を電圧制御発振器ＶＣＯ２に入力した後、Ｎ分周器Ｄｉｖ−Ｎにより分周し、クロックの周波数を追跡する。
【００５９】
第１低域通過フィルタＬＰＦ１で出力された信号は、位相差を検出し、データをサンプリングする第１位相固定ループＰＬＬ１の第１電圧制御発振器ＶＣＯに入力される。すなわち、第２位相固定ループＰＬＬ２を利用してクロック周波数追跡（ｆｒｅｑｕｅｎｃｙ  ｔｒａｃｋｉｎｇ）の荒いチューニング（ｃｏａｒｓｅ  ｔｕｎｉｎｇ）を行った後、その結果を利用して第１位相固定ループＰＬＬ１でクロック位相追跡（ｐｈａｓｅ  ｔｒａｃｋｉｎｇ）の微細チューニング（ｆｉｎｅ  ｔｕｎｉｎｇ）を行い、クロックを復元する。
【００６０】
遷移誘導パケットＥと遷移を含むデータパケットＤＰをＤフリップフロップに入力し、復元されたクロック信号ＲＣＬＫを入力すれば、遷移誘導パケットと遷移を含むデータパケットをサンプリングし、伝送されたクロック信号に同期された遷移誘導パケットと遷移を含むデータパケットを得ることができる（Ｓ６００）。本具現例は、Ｄフリップフロップを利用することを例示したが、Ｄラーチを利用してサンプリングすることも当然に可能であり、これらと等価である他の構成で具現することも同様に可能である。
【００６１】
図１０は、クロックを追跡する構成の他の実施例を示すブロック図である。局部発振器を使用しない場合、周波数追跡ループ（ＦＴＬ、ｆｒｅｑｕｅｎｃｙ  ｔｒａｃｋｉｎｇ  ｌｏｏｐ）と位相追跡ループ（ＰＴＬ、ｐｈａｓｅ  ｔｒａｃｋｉｎｇ  ｌｏｏｐ）とに分離した二重ループ構造で形成し、上記実施例と同様に、クロック信号を復元することができる。最初荒いチューニング（ｃｏａｒｓｅ  ｔｕｎｉｎｇ）段階では、一定の周期で遷移が発生するチューニング信号Ｔを位相周波数検出器に入力する。周波数が固定されていない状態では、周波数固定検出部（ＦＬＤ、Ｆｒｅｑｕｅｎｃｙ  Ｌｏｃｋ  Ｄｅｔｅｃｔｏｒ）は、その出力を低域通過フィルタＬＰＦに連結し、周波数を固定する過程を行う。周波数固定が行われた後には、微細チューニング（ｆｉｎｅ  ｔｕｎｉｎｇ）過程を行い、クロックを復元する。微細チューニング過程は、遷移誘導パケットＥと遷移を含むデータパケットＤＰを位相検出器ＰＤに入力すれば、周波数固定検出部は、位相検出器ＰＤの出力を低域通過フィルタＬＰＦに連結し、低域通過フィルタが出力した位相差信号を利用して電圧制御発振器ＶＣＯを制御し、クロックを復元する。すなわち、荒いチューニング（ｃｏａｒｓｅ  ｔｕｎｉｎｇ）段階では、周波数固定ループＦＴＬを動作させてクロック周波数固定を行い、周波数が固定されれば、位相固定ループＰＴＬが動作し、クロック位相が固定されるので、クロックが復元される。このように復元されたクロックＲＣＬＫで遷移誘導パケットＥ及び遷移を含むデータパケットＤＰをサンプリングし、クロック信号に同期された遷移誘導パケットＳＥ及び同期された遷移を含むデータパケットＳＤＰを形成することができる。
【００６２】
図７及び図１１を参照する。図１１は、サンプリングされた遷移誘導パケットＳＥとサンプリングされた遷移を含むデータパケットＳＤＰで論理演算を行い、ピクセルデータＰＤを復元する過程を概略的に示す図である。図７及び図１１を参照すれば、サンプリングされた遷移を含むデータパケットと遷移誘導パケットを利用して論理演算を行い、データを復元する（Ｓ８００）。一実施例において、サンプリングされた遷移誘導パケットＳＥは、前述したように、ピクセルデータＰＤを復旧するシード（ｓｅｅｄ）として活用される。これは、二進データＡと他の二進データＢの排他的論理和演算を行った演算結果物Ｃとさらに二進データＢとの排他的論理和演算を行う場合、Ａを得ることができるということに基盤する。サンプリングされたデータパケットＤＰは、伝送されるデータをあらかじめ定められたビット数で分割した伝送準備パケットＴと同一のビット数を有する遷移誘導パケットＥと排他的論理和演算を行った結果物なので、サンプリングされたデータパケットＳＤＰと遷移誘導パケットＳＥで排他的論理和演算を行う場合、該当する部分のデータを復元することができる。すなわち、ＳＥ１とＳＤＰ１で論理演算を行う場合、Ｔ１を得ることができ、同様に、ＳＥ１とＳＤＰ２で論理演算を行う場合、Ｔ２を得ることができる。したがって、遷移誘導パケットとデータパケットとの論理演算を行う場合、ピクセルデータＰＤを復元することができる。
【００６３】
一実施例において、図５ａを参照すればラインブランク区間ＬＢに当該ラインの遷移誘導パケットＥ１、Ｅ２、Ｅ３、…、Ｅ３９が順次に伝送され、ピクセルデータ伝送区間ＰＤで遷移を含むデータパケットＤＰ１、ＤＰ２、ＤＰ３、…、ＤＰ１２００が順次に伝送される。受信端では、ラインブランク区間の間に順次に伝送された遷移誘導パケットＥ１、Ｅ２、Ｅ３、…、Ｅ３９を復元されたクロックＣＬＫを利用してサンプリングして格納した後、格納された遷移誘導パケットＳＥ１、ＳＥ２、ＳＥ３、…、ＳＥ３９を利用して順次に伝送されたデータパケットと排他的論理和演算を行い、該当する区間中のピクセルデータを復元する。このような方式で、全体ピクセルデータＰＤを復元することができる。
【００６４】
他の実施例において、図５ｂを参照すれば、ラインブランク区間ＬＢの後に、最初遷移誘導パケットＥ１を受信する。次に、順次に受信した遷移を含むデータパケットＤＰ１、ＤＰ２、…、ＤＰ３１と遷移誘導パケットＥ１をサンプリングした後、論理演算を行い、該当する区間中のピクセルデータを復元する。次に、次の遷移誘導パケットＥ２を受信し、これを利用して順次に受信したデータパケットＤＰ３２、…、ＤＰ６２をサンプリングした後、論理演算を行い、次の領域のピクセルデータを復元する。したがって、本実施例によっても全体ピクセルデータを復元することができる。
【００６５】
ピクセルデータを復元する一実施例において、サンプリングされた遷移誘導パケットＳＥとサンプリングされた遷移を含むデータパケットＳＤＰを逆直列化（ｄｅｓｅｒｉａｌｉｚｅ）した後、ビットワイズ（ｂｉｔｗｉｓｅ）で論理演算を行い、伝送クロックに同期されたピクセルデータを得ることができる。このように逆直列化した後、ビットワイズ論理演算を行うので、高い動作速度を具現することができる。本段階での論理演算は、ソフトウェア的に具現することも可能であり、ハードウェア的に具現することも当然可能である。次に、同期されたピクセルデータを所望のビット数に加工した後、当該スキャンドライバーに伝送し、ディスプレイを駆動することができる。
【００６６】
前述した通信方法は、情報ディスプレイ装置においてタイミング制御部（Ｔｉｍｉｎｇ  Ｃｏｎｔｒｏｌｌｅｒ）とデータドライバー（Ｄａｔａ  Ｄｒｉｖｅｒ）間のデータ通信を例示して説明されたが、これは、ただ簡潔で且つ明確な説明のためのものであって、発明の範囲を制限するためのものではない。通常の技術者が本発明の技術的思想を変更し、いずれか１つの装置と他の装置間のデータ通信で使用可能であることは自明である。
【００６７】
本発明に対する理解を助けるために図面に示された実施例を参照として説明されたが、これは、実施のための実施例であって、例示的なものに過ぎず、当該分野で通常的知識を有する者ならこれから多様な変形及び均等な他の実施例が可能であるという点を理解することができる。したがって、本発明の真正な技術的保護範囲は、添付の特許請求範囲によって定められなければならない。
【符号の説明】
【００６８】
Ｓ１００〜Ｓ４００  本発明の実施例によるデータ伝送方法の各段階
Ｓ５００〜Ｓ８００  本発明の実施例によるデータ復元方法の各段階
Ｓ２１０〜Ｓ２６０  本発明の実施例による遷移誘導パケット形成方法の各段階
Ｔ  伝送準備パケット
ＰＤ  ピクセルデータ
Ｅ  遷移誘導パケット
ＤＰ  遷移を含むデータパケット
ＬＢ  ラインブランク
【図１】
2014072897.tif 000004
【図２】
2014072897.tif 000005
【図３】
2014072897.tif 000006
【図７】
2014072897.tif 000007
【図９】
2014072897.tif 000008
【図１０】
2014072897.tif 000009
【図４】
2014072897.tif 000010
【図５】
2014072897.tif 000011
【図６】
2014072897.tif 000012
【図８】
2014072897.tif 000013
【図１１】
2014072897.tif 000014